(57)【特許請求の範囲】
【請求項１】
発電機制御装置によって運転制御される発電機が負荷時タップ切替機構を有する変圧器を介して電力系統に接続されている発電設備において、前記変圧器に対応して設けられている変圧器制御装置であって、
前記発電機が出力する無効電力を計測する無効電力計測手段と、
前記負荷時タップ切替機構のタップ位置の切替駆動信号を前記変圧器に出力可能なタップ制御手段と、を備え、
前記タップ制御手段は、前記発電機制御装置によって行われる前記発電機の運転制御が前記電力系統からの解列準備動作に入ったことを検出すると、前記無効電力計測手段で計測される無効電力が設定解列時無効電力以下になるように前記負荷時タップ切替機構のタップ位置の切替駆動信号を前記変圧器に対して出力する無効電力出力抑制処理を行う変圧器制御装置。
【請求項２】
前記タップ制御手段は、前記無効電力出力抑制処理において、前記負荷時タップ切替機構のタップ位置が段階的に切り替わるように、確認時限の経過を条件として前記切替駆動信号を前記変圧器に対して出力する請求項１記載の変圧器制御装置。
【請求項３】
前記発電機が出力する有効電力を計測する有効電力計測手段を備え、
前記タップ制御手段は、前記有効電力計測手段で計測される有効電力が第１設定閾値以上に維持された状態から第２設定閾値以下に低下したことを条件として、前記発電機の運転制御が前記電力系統からの解列準備動作に入ったと判定する請求項１又は２記載の変圧器制御装置。
【請求項４】
前記発電機を前記電力系統から解列させるために前記発電機制御装置に対して与えられる負荷降下開始指令情報、及び、前記負荷降下開始指令情報を受け取った前記発電機制御装置が前記発電機を負荷降下開始動作に入らせる負荷降下開始制御情報の少なくとも何れか一方を受け付け可能な情報受付手段を備え、
前記タップ制御手段は、前記情報受付手段が前記負荷降下開始指令情報及び前記負荷降下開始制御情報の少なくとも何れか一方を受け付けると、前記発電機の運転制御が前記電力系統からの解列準備動作に入ったと判定する請求項１〜３の何れか一項に記載の変圧器制御装置。
【発明の詳細な説明】
【技術分野】
【０００１】
本発明は、発電機制御装置によって運転制御される発電機が負荷時タップ切替機構を有する変圧器を介して電力系統に接続されている発電設備において、変圧器に対応して設けられている変圧器制御装置に関する。
【背景技術】
【０００２】
発電機が、負荷時タップ切替機構を有する変圧器を介して電力系統に接続され、その負荷時タップ切替機構のタップ位置を切り替えることで（即ち、変圧器の系統側電圧を変化させることで）、電力系統の系統電圧を増減調整しようとする発電設備がある。このような発電設備において、負荷時タップ切替機構のタップ位置は、変圧器制御装置によって自動的に切り替えられる。そして、発電機が接続されている電力系統の特定の領域を制御対象領域とした場合、その制御対象領域の系統電圧を目標電圧に維持することが変圧器制御装置の役割となる。例えば、負荷時タップ切替機構のタップ位置を切り替えて変圧器の系統側電圧を上昇させることで、制御対象領域の系統電圧を上昇させることができる。或いは、変圧器の系統側電圧を低下させることで、制御対象領域の系統電圧を低下させることができる。
【０００３】
特許文献１には、発電機が、負荷時タップ切替機構を有する変圧器を介して電力系統に接続される発電設備において、その負荷時タップ切替機構のタップ位置を自動的に切り替える変圧器制御装置が記載されている。この変圧器制御装置は、電圧検出手段とタップ制御手段とを有する。電圧検出手段は、電力系統の制御対象領域の系統電圧を検出する。タップ制御手段は、電圧検出手段が検出する制御対象領域の系統電圧の目標電圧に対する偏差に応じて、負荷時タップ切替機構に対してタップ位置の切替駆動信号を出力する。このとき、発電機及び変圧器は、電力系統の系統電圧を調整するという役割の他に、電力系統への無効電力の供給量を調整するという役割も担っている。
【先行技術文献】
【特許文献】
【０００４】
【特許文献１】特開平５−２２７６６６号公報
【発明の概要】
【発明が解決しようとする課題】
【０００５】
特許文献１には、発電機の通常運転中において負荷時タップ切替機構のタップ位置を切り替える制御に関して記載されているが、発電機を電力系統から解列するときに負荷時タップ切替機構のタップ位置をどのように切り替える制御を行えば良いのかについて記載されていない。また、他の先行技術にも、発電機を電力系統から解列するときに負荷時タップ切替機構のタップ位置をどのように切り替える制御を行えば良いのかは記載されていない。
【０００６】
そもそも、発電機を電力系統から解列するということは、電力系統から見れば「系統電圧の維持に貢献していた発電機が突如脱落する」ことになるため、発電機解列の直後に電力系統の系統電圧が大きく変動してしまうこともある。電力系統の系統電圧維持に関する発電機の貢献度合いが高いほど、発電機から出力される無効電力が大きくなり、これに伴い発電機と電力系統との間の電圧偏差を埋めるための電流が流れている。このため、電力系統に対して発電機から出力されている無効電力の存在を考慮した上で発電機を電力系統から解列することが、電力系統の系統電圧の維持の観点から好ましいと考えられる。
【０００７】
本発明は、上記の課題に鑑みてなされたものであり、その目的は、発電機を電力系統から解列するときに、電力系統の系統電圧の変動が小さくなるような制御を行える変圧器制御装置を提供する点にある。
【課題を解決するための手段】
【０００８】
上記目的を達成するための本発明に係る変圧器制御装置の特徴構成は、発電機制御装置によって運転制御される発電機が負荷時タップ切替機構を有する変圧器を介して電力系統に接続されている発電設備において、前記変圧器に対応して設けられている変圧器制御装置であって、
前記発電機が出力する無効電力を計測する無効電力計測手段と、
前記負荷時タップ切替機構のタップ位置の切替駆動信号を前記変圧器に出力可能なタップ制御手段と、を備え、
前記タップ制御手段は、前記発電機制御装置によって行われる前記発電機の運転制御が前記電力系統からの解列準備動作に入ったことを検出すると、前記無効電力計測手段で計測される無効電力が設定解列時無効電力以下になるように前記負荷時タップ切替機構のタップ位置の切替駆動信号を前記変圧器に対して出力する無効電力出力抑制処理を行う点にある。
【０００９】
上記特徴構成によれば、タップ制御手段は、発電機の運転制御が電力系統からの解列準備動作に入ったことを検出すると、発電機が出力する無効電力を設定解列時無効電力以下にする無効電力出力抑制処理を行う。つまり、タップ制御手段は、発電機の運転制御が解列準備動作中にある間に、発電機が出力する無効電力を低下させる。その結果、発電機が出力する無効電力が抑制された状態（即ち、電力系統の系統電圧維持に関する発電機の貢献度合いを低くした状態）となるので発電機が電力系統から解列されたとしても、電力系統の系統電圧が大きく変動しないようになる。
従って、発電機を電力系統から解列するときに、電力系統の系統電圧の変動が小さくなるような制御を行える変圧器制御装置を提供できる。
【００１０】
本発明に係る変圧器制御装置の別の特徴構成は、前記タップ制御手段は、前記無効電力出力抑制処理において、前記負荷時タップ切替機構のタップ位置が段階的に切り替わるように、確認時限の経過を条件として前記切替駆動信号を前記変圧器に対して出力する点にある。
【００１１】
上記特徴構成によれば、発電機から出力される無効電力出力の抑制が確認時限毎に段階的に行われる。つまり、タップ切替条件（即ち、無効電力計測手段で計測される無効電力が未だ設定解列時無効電力以下になっていない状態）が確認時限継続したことを条件としてタップ切替動作が行われるため、タップの不要動作が抑制される。また、発電機から出力される無効電力が低下したことにより系統電圧の低下が発生するとしても設定時間毎に段階的に起こり得る。その結果、系統電圧の低下途中において、電力系統に備わっている系統電圧維持機能が働く時間的余裕が生まれるため、系統電圧の変動が小さくなる。
【００１２】
本発明に係る変圧器制御装置の更に別の特徴構成は、
前記発電機が出力する有効電力を計測する有効電力計測手段を備え、
前記タップ制御手段は、前記有効電力計測手段で計測される有効電力が第１設定閾値以上に維持された状態から第２設定閾値以下に低下したことを条件として、前記発電機の運転制御が前記電力系統からの解列準備動作に入ったと判定する点にある。
【００１３】
上記特徴構成によれば、タップ制御手段が有効電力計測手段で計測される有効電力を監視することで、発電機の運転制御が電力系統からの解列準備動作に入ったことを迅速に判定できる。その結果、発電機が電力系統から解列される前に、発電機から出力される無効電力を低下させておくことができる。
【００１４】
本発明に係る変圧器制御装置の更に別の特徴構成は、
前記発電機を前記電力系統から解列させるために前記発電機制御装置に対して与えられる負荷降下開始指令情報、及び、前記負荷降下開始指令情報を受け取った前記発電機制御装置が前記発電機を負荷降下開始動作に入らせる負荷降下開始制御情報の少なくとも何れか一方を受け付け可能な情報受付手段を備え、
前記タップ制御手段は、前記情報受付手段が前記負荷降下開始指令情報及び前記負荷降下開始制御情報の少なくとも何れか一方を受け付けると、前記発電機の運転制御が前記電力系統からの解列準備動作に入ったと判定する点にある。
【００１５】
上記特徴構成によれば、タップ制御手段が負荷降下開始指令情報及び負荷降下開始制御情報の何れかが有るか否かを監視することで、発電機の運転制御が電力系統からの解列準備動作に入ったことを迅速に判定できる。その結果、発電機が電力系統から解列される前に、発電機から出力される無効電力を低下させておくことができる。
【図面の簡単な説明】
【００１６】
【図１】本実施形態の変圧器制御装置の構成を示す図である。
【図２】電力系統の系統電圧と、発電機の有効電力及び無効電力と、負荷時タップ切替機構のタップ位置との推移を示すグラフである。
【図３】別実施形態の変圧器制御装置の構成を示す図である。
【発明を実施するための形態】
【００１７】
以下に図面を参照して本発明に係る変圧器制御装置について説明する。
図１は、変圧器制御装置の構成を示す図である。図１に示したように発電設備１０Ａ（１０）を電力系統１に接続するとき、その発電設備１０Ａが接続されている電力系統１の電圧（系統電圧）を目標電圧に維持することが、発電設備１０Ａに求められることがある。例えば、発電設備１０Ａが接続されている電力系統１の特定の領域を制御対象領域１ａとした場合、発電設備１０Ａはその制御対象領域１ａの系統電圧を目標電圧に維持することを求められる。そのため、本実施形態において、発電設備１０Ａは、原動機１１ａと発電機１１ｂと発電機制御装置５と変圧器１２と変圧器制御装置２０Ａ（２０）とを備える。発電機１１ｂは原動機１１ａによって駆動される。
【００１８】
発電機１１ｂは、負荷時タップ切替機構を有する変圧器１２を介して電力系統１に接続されている。負荷時タップ切替機構のタップ位置が切り替えられると変圧器１２の系統側電圧が変化し、それに伴って、電力系統１の中の、発電機１１ｂが接続されている特定の制御対象領域１ａの系統電圧が変化する。
【００１９】
変圧器制御装置２０Ａは、電力計測手段１７と、タップ制御手段１６とを備える。更に、変圧器制御装置２０Ａは、電圧検出手段１３を備える。電圧検出手段１３は、電力系統１の中の、発電機１１ｂが接続されている特定の制御対象領域１ａの系統電圧を検出するように設けられている。この電圧検出手段１３は、電圧検出用変圧器１４と変換器１５とを有する。電圧検出用変圧器１４は、上記制御対象領域１ａの電力系統１に接続されて、その接続部分の系統電圧（又は系統電圧に対応する電圧）を変換器１５の内部回路に発生させる。変換器１５は、電圧検出用変圧器１４によって自身の内部回路に発生された電圧値を上記制御対象領域１ａの系統電圧値に変換して、タップ制御手段１６へ出力する。
【００２０】
電力計測手段１７は、変流器３が検出する発電機１１ｂの出力電流に関する情報及び電圧検出用変圧器４が検出する発電機１１ｂの出力電圧に関する情報を受け取って、発電機１１ｂが出力する有効電力及び無効電力を導出する。つまり、電力計測手段１７は、発電機１１ｂが出力する有効電力を計測する有効電力計測手段１７Ａとして機能し、及び、発電機１１ｂが出力する無効電力を計測する無効電力計測手段１７Ｂとして機能する。電力計測手段１７の計測結果（有効電力及び無効電力についての情報）は、タップ制御手段１６へ随時伝達される。従って、タップ制御手段１６は、電力計測手段１７の計測結果に基づいて、発電機１１ｂの運転状態を随時判断できる。
【００２１】
タップ制御手段１６は、タップ位置の切替駆動信号を変圧器１２（負荷時タップ切替機構）に出力可能である。本実施形態において、負荷時タップ切替機構はタップ位置を１７段階で切替可能に構成されている。表１は、タップ位置と変圧器１２のタップ電圧との関係を例示する表である。
【００２２】
【表１】
0005473699.tif 000002
【００２３】
以下に、発電機１１ｂの通常運転時のタップ位置制御について説明する。
変圧器制御装置２０Ａのタップ制御手段１６は、電圧検出手段１３によって検出される制御対象領域１ａの系統電圧が目標電圧に対して設定値以上であるか、或いは、電圧検出手段１３によって検出される制御対象領域１ａの系統電圧が目標電圧に対して設定値以下であるか、或いは、電圧検出手段１３によって検出される制御対象領域１ａの系統電圧が目標電圧から設定値より小さい値の範囲内であるか、を判定する。例えば、目標電圧をＶ［ｋＶ］とし、許容偏差を±α［ｋＶ］とする。
【００２４】
制御対象領域１ａの系統電圧が目標電圧に対して設定値以上であって（本実施形態では、系統電圧がＶ＋α［ｋＶ］以上）、かつその状態が確認時限（本実施形態では、７０秒）以上継続した場合、発電設備１０Ａは電力系統１の系統電圧を下げるように動作する必要がある。具体的には、変圧器１２の系統側電圧を下げる必要がある。そこで、タップ制御手段１６は、負荷時タップ切替機構に対して変圧器１２の系統側電圧を下げるように負荷時タップ切替機構のタップ位置の切替駆動信号を出力する。
【００２５】
或いは、制御対象領域１ａの系統電圧が目標電圧に対して設定値以下であって（本実施形態では、系統電圧がＶ−α［ｋＶ］以下）、かつその状態が確認時限（本実施形態では、７０秒）以上継続した場合、発電設備１０Ａは電力系統１の系統電圧を上げるように動作する必要がある。具体的には、変圧器１２の系統側電圧を上げる必要がある。そこで、タップ制御手段１６は、負荷時タップ切替機構に対して変圧器１２の系統側電圧を上げるように負荷時タップ切替機構のタップ位置の切替駆動信号を出力する。
【００２６】
或いは、制御対象領域１ａの系統電圧が目標電圧に対し許容偏差より小さい値の範囲内である場合（本実施形態では、系統電圧がＶ−α［ｋＶ］より大きく且つＶ＋α［ｋＶ］より小さい範囲にある場合）、電力系統１の系統電圧は適正に維持されているので、タップ制御手段１６は、負荷時タップ切替機構のタップ位置をそのまま保持する。
【００２７】
〔発電機の運転制御〕
原動機１１ａ及び発電機１１ｂの動作は発電機制御装置５によって制御される。以下の説明では、発電機制御装置５が発電機１１ｂの出力を調節することについて説明するが、実際には、発電機制御装置５は必要に応じて原動機１１ａの出力の調節も行っている。
発電設備１０Ａの管理者は、発電機１１ｂを始動させるための指令、停止させるための指令、設定出力で運転させるための指令などの各種指令情報を発電機制御装置５に入力できる。発電機制御装置５は、上述のような各種指令情報を受け付けると、発電機１１ｂに対して適切な制御情報を与える。発電機１１ｂは、発電機制御装置５から受けた制御情報に応じて運転する。
変圧器制御装置２０Ａは、発電機１１ｂが負荷上昇動作に入ったことを、電力計測手段１７の計測結果に基づいて知ることができる。例えば、変圧器制御装置２０Ａのタップ制御手段１６は、電力計測手段１７から伝達される、発電機１１ｂが出力する有効電力及び無効電力についての情報に基づいて、発電機１１ｂの出力が立ち上がったことを認識すると、発電機１１ｂが負荷上昇動作に入ったと判定する。
【００２８】
発電設備１０Ａの管理者が発電機１１ｂの負荷降下を開始させるための負荷降下開始指令情報を発電機制御装置５に与えると、発電機制御装置５は、発電機１１ｂに対して負荷降下開始制御情報を与える。発電機１１ｂは、発電機制御装置５から負荷降下開始制御情報を受けると、出力を低下させ始める解列準備動作に入る。発電機１１ｂが出力を低下させ始めると、発電機１１ｂが出力する有効電力は低下し始める。発電機制御装置５は、発電機１１ｂの出力を徐々に低下させ、その後、発電機有効電力出力が十分に小さくなった時点で遮断器２を開放させる。
【００２９】
変圧器制御装置２０Ａは、発電機１１ｂが解列準備動作に入ったことを電力計測手段１７の検出結果に基づいて知ることができる。つまり、タップ制御手段１６は、有効電力計測手段１７Ａで計測される有効電力が第１設定閾値以上に維持された状態から第２設定閾値以下に低下したことを条件として、発電機１１ｂの運転制御が電力系統１からの解列準備動作に入ったと判定する。本実施形態では、変圧器制御装置２０Ａのタップ制御手段１６は、電力計測手段１７から伝達される、発電機１１ｂが出力する有効電力についての情報に基づいて、発電機１１ｂが出力する有効電力が第１設定閾値（例えば、定格出力の１４％など）以上に維持された状態から、その後、その第１設定閾値よりも小さい第２設定閾値（例えば、定格出力の１２％など）以下に低下していったこと（即ち、発電機１１ｂが一旦始動した後で出力を低下させたこと）を認識すると、発電機１１ｂが解列準備動作に入ったと判定する。
【００３０】
〔発電機を解列するときの無効電力出力抑制処理〕
以下に、図２を参照して、発電機制御装置５によって行われる発電機１１ｂの運転制御が電力系統１からの解列準備動作に入ったとき、タップ制御手段１６が行う無効電力出力抑制処理について説明する。図２は、電力系統の系統電圧と、発電機の有効電力及び無効電力と、負荷時タップ切替機構のタップ位置との推移を示すグラフである。
【００３１】
本実施形態において、変圧器制御装置２０Ａのタップ制御手段１６は、発電機制御装置５によって行われる発電機１１ｂの運転制御が電力系統１からの解列準備動作に入ったことを検出すると、発電機１１ｂが電力系統１から解列されるまでに無効電力計測手段１７Ｂで計測される無効電力が設定解列時無効電力以下になるように負荷時タップ切替機構のタップ位置の切替駆動信号を変圧器１２に対して出力する無効電力出力抑制処理を行う。本実施形態において、設定解列時無効電力は、変圧器１２のタップが１段動作することによる無効電力変化が概ね２０Ｍｖａｒ程度であることに鑑み、２５ＭＶａｒとしている。つまり、タップ制御手段１６は、電力計測手段１７で計測される発電機１１ｂの無効電力が２５ＭＶａｒより大きい場合には、負荷時タップ切替機構に対してタップ位置を下げるように切替駆動信号を与える。
【００３２】
図２に示すように、時刻ｔ１より前の時点では、変圧器制御装置２０Ａのタップ制御手段１６は、負荷時タップ切替機構のタップ位置を１２段目に保持している。また、発電機制御装置５は、発電機１１ｂの出力を下げ始めている。タップ制御手段１６は、電力計測手段１７の計測結果に基づいて、発電機１１ｂの出力が低下傾向にあることを認識できる。尚、発電機１１ｂが出力する無効電力はほぼ一定値のままである。
【００３３】
時刻ｔ１において、タップ制御手段１６は、上述したように有効電力計測手段１７Ａで計測される有効電力が第１設定閾値以上に維持された状態から第２設定閾値以下に低下したことを条件として発電機制御装置５によって行われる発電機１１ｂの運転制御が電力系統１からの解列準備動作に入ったと判定する。本実施形態では、タップ制御手段１６は、電力計測手段１７の計測結果に基づいて、発電機１１ｂが出力する有効電力が第１設定閾値：４４．１ＭＷ（本実施形態において、定格出力の１４％）以上に維持された状態から、その後、有効電力が低下して上記第１設定閾値よりも小さい第２設定閾値：３７．８ＭＷ（本実施形態において、定格出力の１２％）以下になったことを認識した時点（時刻ｔ１）で、発電機１１ｂが解列準備動作に入ったと判定する。そして、タップ制御手段１６は、解列準備動作判定が所定時間以上継続していることを（即ち、確認時限の経過を）条件として、無効電力を下げる方向に負荷時タップ切替機構のタップ位置を切り替えるための切替駆動信号を変圧器１２に対して出力する。その結果、負荷時タップ切替機構のタップ位置は、１２段目から１１段目へと切り替わる。図２に示すように、時刻ｔ１においてタップ位置が１２段目から１１段目へと切り替えられると、発電機１１ｂが出力する無効電力が低下する。
【００３４】
本実施形態において、タップ制御手段１６は、無効電力計測手段１７Ｂで計測される無効電力が設定解列時無効電力以下になるようにタップ位置を切り替える無効電力出力抑制処理において、負荷時タップ切替機構のタップ位置を所定の確認時限ごとに段階的に切り替え、またタップ位置のハンチング動作を回避する目的で、所定の確認時限の経過を条件として切替駆動信号を変圧器に対して出力する。つまり、タップ制御手段１６は、タップ位置を複数段連続して切り替えることはせず、タップ切替条件が成立した状態（即ち、無効電力計測手段で計測される無効電力が未だ設定解列時無効電力以下になっていない状態）が確認時限分継続したことを条件としてタップ位置を１段階下げる制御を行う。具体的には、本実施形態において、タップ制御手段１６は、タップ切替条件が７０秒間継続して成立したことを条件としてタップ位置の切り替え動作を指令する。このように、発電機１１ｂから出力される無効電力の抑制が確認時限の経過を条件として、かつ段階的に行われるため、発電機出力変動に起因する不要なタップ動作は回避される。また発電機１１ｂから出力される無効電力が抑制されたことによる系統電圧の降下が発生するとしても確認時限毎に段階的に起こり得る。その結果、系統電圧の降下途中において、電力系統１に備わっている系統電圧維持機能が働く時間的余裕が生まれるため、系統電圧の変動が小さくなる。
【００３５】
引き続き、タップ制御手段１６は、電力計測手段１７の計測結果に基づいて、発電機１１ｂの無効電力が設定解列時無効電力（本実施形態において、２５ＭＶａｒ）以下であるか否かを判定する。判定の結果、タップ切替条件が成立していた場合、同成立が時刻ｔ１からｔ２までの間（本実施形態において、７０秒後）継続したことを条件として、タップ制御手段１６は、時刻ｔ２において、タップ位置を更に１段階下げるように変圧器１２に対してタップ切替駆動信号を出力する。図２に示す例では、時刻ｔ２直前での無効電力は約３７ＭＶａｒ（＞設定解列時無効電力）であるが、時刻ｔ２においてタップ位置が１１段目から１０段目へと切り替えられると、発電機１１ｂが出力する無効電力は約１７ＭＶａｒに低下する。
【００３６】
時刻ｔ２においてタップ位置が１０段目に切り替えられた後も、タップ制御手段１６は、電力計測手段１７の計測結果に基づいて、発電機１１ｂの無効電力が設定解列時無効電力（２５ＭＶａｒ）以下であるか否かを判定し続ける。図２に示す例では、時刻ｔ３での無効電力は約１７ＭＶａｒ（＜設定解列時無効電力）である。従って、タップ制御手段１６は、無効電力計測手段１７Ｂで計測される、発電機が発生する無効電力が設定解列時無効電力以下になったと判定して、負荷時タップ切替機構のタップ位置をそのまま保持する。その後、発電機１１ｂが電力系統１から解列され、及び、発電機１１ｂの有効電力出力及び無効電力出力が零となる（時刻ｔ４）。
【００３７】
図２から分かるように、無効電力出力抑制処理が開始される時刻ｔ１での系統電圧と、発電機１１ｂが電力系統１から解列された後の時刻ｔ４での系統電圧との間には、大きな電圧差がある。つまり、この電圧差が、発電機１１ｂが電力系統１の系統電圧維持に貢献していた度合いに相当する。言い換えると、本実施形態の無効電力出力抑制処理を行わなければ、系統電圧において上記電位差分の低下が瞬時に生じていたはずであるが、上記無効電力出力抑制処理を行うことで時刻ｔ１から時刻ｔ４の間で時間をかけて徐々に系統電圧を低下させることができたと言える。従って、発電機１１ｂを電力系統１から解列するときに、電力系統１の系統電圧の変動が小さくなるような制御を行えた。
【００３８】
＜別実施形態＞
上記実施形態では、タップ制御手段１６が、有効電力計測手段１７Ａで計測される有効電力が第１設定閾値以上に維持された状態から第２設定閾値以下に低下したことを条件として発電機１１ｂの運転制御が電力系統１からの解列準備動作に入ったと判定する場合の例を説明したが、タップ制御手段１６が、他の基準に基づいて発電機１１ｂの運転制御が電力系統１からの解列準備動作に入ったと判定するように改変することもできる。以下に別実施形態の変圧器制御装置２０Ｂ（２０）について説明するが、上記実施形態の変圧器制御装置２０Ａと同様の構成については説明を省略する。
【００３９】
図３は、別実施形態の変圧器制御装置の構成を示す図である。変圧器制御装置２０Ｂは、発電機１１ｂを電力系統から解列させるために発電機制御装置５に対して与えられる負荷降下開始指令情報、及び、負荷降下開始指令情報を受け取った発電機制御装置５が発電機１１ｂを上記解列準備動作に入らせる負荷降下開始制御情報の少なくとも何れか一方を受け付け可能な情報受付手段１８を備える。そして、タップ制御手段１６は、情報受付手段１８が上記負荷降下開始指令情報及び上記負荷降下開始制御情報の少なくとも何れか一方を受け付けると、発電機１１ｂの運転制御が電力系統１からの解列準備動作に入ったと判定する。
【００４０】
或いは、タップ制御手段１６が、有効電力計測手段１７Ａで計測される有効電力及び情報受付手段１８で受け付ける情報の両方を監視しておき、情報受付手段１８が上記負荷降下開始指令情報及び上記負荷降下開始制御情報の少なくとも何れか一方を受け付けると、又は、有効電力計測手段１７Ａで計測される有効電力が第１設定閾値以上に維持された状態から第２設定閾値以下に低下したことを条件として、発電機１１ｂの運転制御が電力系統１からの解列準備動作に入ったと判定してもよい。
【産業上の利用可能性】
【００４１】
本発明は、発電機を電力系統から解列するときに、電力系統の系統電圧の変動が小さくなるような制御を行える変圧器制御装置に利用できる。
【符号の説明】
【００４２】
１  電力系統
１ａ  制御対象領域
５  発電機制御装置
１１  発電機
１２  変圧器
１６  タップ制御手段
１７  電力計測手段
１７Ａ  有効電力計測手段
１７Ｂ  無効電力計測手段
１８  情報受付手段
２０（２０Ａ、２０Ｂ）  変圧器制御装置
【図１】
0005473699.tif 000003
【図２】
0005473699.tif 000004
【図３】
0005473699.tif 000005